(57)【要約】【課題】競技力の向上及び負傷防止のため、手の甲部、手首部、指部の左右又は上下回転角度を無段階に調整することができ、手首部のフレームと下端バンドユニットの結合及び分離が容易であり、着用感に優れたリストサポートを提供する。【解決手段】リストポートは、手首部（２）と手の甲部（４）間の左右及び上下角度を容易に調節し得る角度調整部（３）を有し、前記角度調整部（３）と同一構成で指部（５）と手の甲部（４）間の左右角度を調節する手段を有し、前記角度調節手段（３）を作動させるとき、作動音が発生する作動音発生手段を有し、手首部（２）のフレームと下端バンドユニットを容易に相互結合して手首に固定する手段を有する。【選択図】            図１
2004223083.tif 000002
【特許請求の範囲】
【請求項１】
ボウリングの際、手首を保護するためのリストサポートにおいて、
締結ボルト孔（４３）と角度調節突起（４８）が設けられた手の甲部（４）と；
締結ボルト（３４）と作動板カバー（３２）の固定のための孔（３５、３７）が形成されるもので、内側ラックギヤが形成された作動板（３３）と、下端に固定突片（３２ｂ）が形成され、中央に調節ノブ（３１）の貫通のための通孔が形成された作動板カバー（３２）と、締結ボルト（３４）の貫通のための通孔とロッカー（３０）を収容するための安着溝とが形成され、下部外周面にピニオンギヤ（３１ａ）が形成された調節ノブ（３１）と、締結ボルト（３４）との締結のための雌ネジが形成されたネジ孔が形成され、締結取っ手が設けられたロッカー（３０）とが順次結合されてなる角度調整部（３）と；
手首部フレーム（２０）からなり、前記手首部フレーム（２０）の一端部に前記作動板（３３）に対応して設けられた作動板固定部（２ａ）と、前記作動板固定部（２ａ）の両側にそれぞれ形成された手首部ブラケット（２ｂ）と手首部ブラケット孔と、前記手首部フレーム（２０）の両側に形成された締結長孔（２ｄ、２ｅ）と、前記締結長孔に結合される、連結部材及び下部バンド体（２０ａ）でなる下部バンドユニットとからなる前記手首部（２）と；
前記手の甲部（４）の先端に設けられる指部（５）とからなることを特徴とするリストサポート。
【請求項２】
前記手の甲部（４）と手首部（２）間の左右角度を調整するため、前記手の甲（４）に角度調節突起（４８）と締結ボルト孔（４３）が設けられ、前記締結ボルト孔（４３）の周囲に長孔（４１）が形成され、角度調整部（３）の下面に、孔（３５）の周囲に、前記長孔（４１）に沿って回転する調整突部が設けられ、作動板カバー（３２）の一端に角度調節ラックギヤ（３２ｅ）が設けられることを特徴とする請求項１記載のリストサポート。
【請求項３】
前記指部（５）と手の甲部（４）間の角度を無段階に調整するため、前記手の甲部（４）の一側に固定孔と角度調節突部が設けられ、指部（５）の一側に固定孔と長孔（５２）が形成され、前記手の甲部（４）に指部（５）を固定し角度調整するため、ボルト締結方式で締結されるロッカー（５０）とリベット（５３）が設けられることを特徴とする請求項１又は２記載のリストサポート。
【請求項４】
前記締結ボルト（３４）の頭部に多数の固定溝（３４ａ）が形成され、前記手の甲部（４）の下面の締結ボルト孔（４３）の付近に多数の固定片が設けられることを特徴とする請求項１ないし３のいずれかに記載のリストサポート。
【請求項５】
前記調節ノブ（３１）を回すとき、作動音を発生するため、作動板カバー（３２）の一側に、前記作動板カバー（３２）と一体に成形された作動幹ハウジング（３２ｃ）と、前記作動幹ハウジング（３２ｃ）に挿合される作動幹（３２ｆ）と、前記調節ノブの内周面に形成された内側ギヤ（３１ｃ）とからなる作動音発生手段をさらに含むことを特徴とする請求項１記載のリストサポート。
【請求項６】
前記調節ノブ（３１）を回すとき、作動音を発生するため、通孔（３８ｂ）、組立ブラケット（３８ａ）及び作動音発生用突部（３８ｃ）が設けられたリーフスプリング（３８）と、前記リーフスプリング（３８）の組立ブラケット（３８ａ）を支持するため、作動板カバー（３２）に形成された組立孔（３２ａ）と、前記調節ノブ（３１）の下側面に放射状に形成された多数の突部（３１ｂ）とからなる作動音発生手段をさらに含むことを特徴とする請求項１記載のリストサポート。
【請求項７】
前記調節ノブ（３１）を回すとき、作動音を発生するため、一端に組立ブラケット（３９ａ）が形成されたＵ形スプリング（３９）と、前記Ｕ形スプリングを支持するため、前記作動板カバー（３２）に形成された組立孔（３２ｄ）と、前記調節ノブ（３１）の下側面に放射状に形成された多数の突部（３１ｂ）とからなる作動音発生手段をさらに含むことを特徴とする請求項１記載のリストサポート。
【請求項８】
バンド体（６１）の内側両端部に段差部（６４、６８）が形成され、第１段差部（６４）の内側面と第１連結バンド（６２）の端部にそれぞれマジックテープ（登録商標）（６３）が縫着され、前記第１段差部（６４）の外側面に第１連結バンド（６２）が縫着され、第２段差部（６８）の内側面に第２連結バンド（６５）が縫着され、前記第２段差部（６８）の外側面と第２連結バンド（６５）の端部にそれぞれマジックテープ（登録商標）（６７）を縫着されることを特徴とする請求項１記載のリストサポート。
【請求項９】
手首部フレーム（２０）の両側に連結ブラケットがそれぞれ設けられ、前記連結ブラケットの一側にピンで結合される連結部材（２６ａ）が設けられた第１連結バンド（２６）が下部バンド体（２０ａ）の一側に設けられ、前記連結ブラケットの他側にピンで締結される連結部材（２７ｃ）及び横突部（２７ａ）が設けられた第２連結バンド（２７）が前記下部バンド体（２０ａ）の他側に設けられたストッパー（２７ｂ）に挿入されて締結されることを特徴とする請求項１記載のリストサポート。
【請求項１０】
手首フレーム（２０）の一側に締結部（２２）が設けられ、他側にロッキングフック（２８ｃ）が設けられ、一端部にマジックテープ（登録商標）が付着された連結バンド（２９）が下部バンド体（２０ａ）の締結部に結合され、前記下部バンド体（２０ａ）の他側にロッキングレバー（２８ａ）及びロッキングル一プ（２８ｂ）からなるロッキング部（２８）が設けられ、前記ロッキングフック（２８ｃ）に結合されることを特徴とする請求項９記載のリストサポート。
【請求項１１】
一端が連結ブラケット（４５ａ）に固定ピン（４５ｂ）で連結され、手の甲部の一側に設けられた連結ブラケット（４６ａ）及び固定ピン（４６ｂ）を通じてハンド締めブラケット（４７）に連結され、手を締めるハンドバンド（４４）と、指部（５）の指バンド（５５）との下側外部面にそれぞれ、ボウリングとの密着力を向上させるため、ゴム又は合成樹脂材の密着シート（４４ａ、５５ａ）が設けられることを特徴とする請求項１記載のリストサポート。
【発明の詳細な説明】
【０００１】
【発明の属する技術分野】
本発明は、ボウリングに際して、手首に加わる衝撃による負傷を防止し、ボールの正確な投球を可能にするボウリング用リストサポートに関し、競技力の向上及び負傷防止のため、手の甲部、手首部、指部（指保護部）の左右又は上下回転角度を無段階に調整することができ、手首部のフレームと下端バンドユニットの結合及び分離が容易であり、着用感に優れたリストサポートに関するものである。
【０００２】
【従来の技術】
一般に、リストサポートは、ボウリングに際して、重いボウリングボールの重量による手首又は指の負傷を防止し、正確な投球を可能にして競技力を向上させるもので、従来、様々なリストサポートが用いられているが、簡単に説明するとつぎのようなものである。
【０００３】
最も一般的で簡単な形態としては、吸着力を有する素材でリストサポートの内側面を構成してボウリングボールが容易に取り扱えるようにし、手首を固定させて手首が後ろに反ることを防止するリストサポートがある。近年、リストサポートの角度を任意に調節して、投球の際に、スピン又はフックなどが容易に行えるようにする構成も提案されている。
【０００４】
前記角度調節の可能なリストサポートの一般的な構成は、手の甲に密着される手の甲部、手首の外側に密着される手首部、及び前記手の甲部と手首部を連結し、前記手首部と手の甲部の連結角度を左右又は上下に調節する角度調整部からなる。前記角度調整部と手首部はヒンジ連結部材で連結され、両者間にネジ式又は係合式などの角度調節手段を備える。
【０００５】
係合式の場合、角度調節部上にスプリングにより作動する係合片が設けられ、係合片の下面には両側に係合突起が設けられ、手の甲部に等間隔で穿孔された多数の係合溝に係合される。
【０００６】
したがって、手首部と手の甲部の上下角度を調節する場合、係合片の下面に設けられた係合突起を手の甲部に穿孔された多数の係合溝に結合する位置によってその角度を調節する。このような方式は、使用時に手の甲部が後ろに反った場合、係合片が易しく離脱する問題点があり、手の甲部に穿孔された係合溝の間隔に応じて調節するため、微細な調整ができない問題点があった。
【０００７】
また、ボウリング用リストサポートの角度を調節するに際して、角度調節手段の中央に穿孔されたスロットによりスリップリングの微細な角度調節はもちろんのこと、着用状態においても手の甲部の係合片に結合されるスリップリングの着脱を容易にしたボウリング用リストサポートが提案されている。これは手首部と手の甲部間の角度を微細に調節することはできるが、その構造が複雑であり、製造費が高くかかる欠点があった。
【０００８】
そして、従来のリストサポートの手首部は、合成樹脂材の堅いフレーム部と、ウレタンフォームなどで前記フレーム部に接着したクッション材と、手首に容易に着用できるように、一側にマジックテープ（登録商標）又はべルト方式の固定部材を設けた布材又は皮革材の第１連結バンドとからなる。
【０００９】
前記マジックテープ（登録商標）方式の固定部材は、長期間にわたって使用すると、接着面が擦り減り、接着力が低下するため、使用途中で脱がれ易くなり、耐久性に問題点がある。
【００１０】
前記べルト方式の固定部材は、皮革又は布材と全属材結着部材から構成されるため、耐久性があるが、着用の都度、一つ一つバンドの一側を他側固定部に入れてから固定しなければならないので不便であった。
【００１１】
【発明が解決しようとする課題】
したがって、本発明は前記のような従来の問題点を解決するためのもので、その目的は、リストサポートの手首部と手の甲部間の左右及び上下角度を容易に調節し得る角度調整部を有し、前記角度調整部と同一構成で指部と手の甲部間の左右角度を調節する手段を有し、前記角度調節手段を作動させるとき、作動音が発生する作動音発生手段を有し、手首部のフレームと下端バンドユニットを容易に相互結合して手首に固定する手段を有するリストサポートを提供することにある。
【００１２】
【課題を解決するための手段】
前記目的を達成するため、本発明は、ボウリングの際、手首を保護するためのリストサポートにおいて、締結ボルト孔と角度調節突起が設けられた手の甲部と；締結ボルトと作動板カバーの固定のための孔が形成されるもので、内側ラックギヤが形成された作動板と、下端に固定突片が形成され、中央に調節ノブの貫通のための通孔が形成された作動板カバーと、締結ボルトの貫通のための通孔とロッカーを収容するための安着溝とが形成され、下部外周面にピニオンギヤが形成された調節ノブと、締結ボルトとの締結のための雌ネジが形成されたネジ孔が形成され、締結取っ手が設けられたロッカーとが順次結合されてなる角度調整部と；手首部フレームからなり、前記手首部フレームの一端部に前記作動板に対応して設けられた作動板固定部と、前記作動板固定部の両側にそれぞれ形成された手首部ブラケットと手首部ブラケット孔と、前記手首部フレームの両側に形成された締結長孔と、前記締結長孔に結合される、連結部材及び下部バンド体でなる下部バンドユニットとからなる前記手首部と；前記手の甲部の先端に設けられる指部とからなるリストサポートを提供する。
【００１３】
【発明の実施の形態】
以下、本発明の実施例を添付図面に基づいて詳細に説明する。
【００１４】
図１ないし図６は本発明の一実施例によるリストサポートを示す。同図に示すように、本発明のリストサポートは、ボウリングの際、手首を保護するため、手首部２と、手の甲部４と、指部５と、前記手の甲部４と手首部２との間に設けられ、手首部２と手の甲部４間の角度を調整する角度調整部３とを備える。
【００１５】
本発明は、前記手の甲部４と手首部２間の上下角度を無段階に調整するため、前記手の甲部４に締結ボルト孔４３と角度調節突起４８が設けられ、前記角度調整部３に締結ボルト３４と作動板カバー３２の固定のための孔３５、３７が形成され、かつ前記角度調整部３には、内側ラックギヤが形成された作動板３３と、下端に固定突片３２ｂが形成され、中央に調節ノブ３１の貫通のための通孔が形成された作動板カバー３２と、締結ボルト３４の貫通のための通孔とロッカー３０を収容するための安着溝とが形成され、下部外周面にピニオンギヤ３１ａが形成された調節ノブ３１と、締結ボルト３４との締結のための雌ネジが形成されたネジ孔が形成され、締結取っ手が設けられたロッカー３０とが順次結合され、前記手首部２は手首部フレーム２０からなり、前記手首部フレーム２０の一端部には作動板３３に対応する作動板固定部２ａが設けられ、前記作動板固定部２ａの両側にはそれぞれ手首部ブラケット２ｂと手首部ブラケット孔が形成され、前記手首部フレーム２０の両側に締結長孔２ｄ、２ｅ（図９参照）が形成され、この締結長孔には、連結部材及び下部バンド体２０ａからなる下部バンドユニット（図１０参照）が結合される。
【００１６】
一般に、角度調整部３は金属材のフレームと合成樹脂材のクッションからなり、角度調節部ブラケット孔３ｂが形成された角度調節部ブラケット３ａが設けられ、この角度調節部ブラケット３ａは手首部２に連結され上下回動できるように構成される。角度調整部ブラケット孔３ｂを中心に上下に回動して手の甲部４と手首部２間に一定角度を有するように、作動板３３に対応して作動板固定部２ａを手首部２と一体的に形成する。また、締結ボルト３４の貫通のための孔３５と作動板カバー３２の固定のための作動板カバー固定孔３７を角度調整部３に形成し、作動板３３、作動板カバー３２、調節ノブ３１、ロッカー３０を順次位置させた後、締結ボルト３４で結合する。前記作動板３３は内側ラックギヤを有するもので、調節ノブ３１を左右に回転させると、その下部外周面に形成されたピニオンギヤ３１ａが作動板３３の内側ラックギヤと噛み合って作動するので、作動板３３が直線運動し、作動板３３は手首部２に設けられた作動板固定部２ａを押すことにより、手の甲部４が上下に回動して手首部２と手の甲部４間の上下角度が調整される。使用者はリストサポートを着用した後、自身の体形に合わせて前記のような方法で角度を調整し、ロッカー３０を回して固定させる。
【００１７】
また、前記手の甲部４と手首部２間の左右角度を調整するため、前記手の甲４に角度調節突起４８と締結ボルト孔４３を設け、前記締結ボルト孔４３の周囲に長孔４１を形成し、角度調整部３の下面には、孔３５の周囲に、前記長孔４１に沿って回転する調整突部を設け、作動板カバー３２の一端に角度調節ラックギヤ３２ｅを設ける。
【００１８】
前記長孔４１は締結ボルト孔４３を中心に形成されたもので、角度調整部３の下部に設けられた調整突部が前記長孔４１に沿って左右に回動する。
【００１９】
前記調整突部は、角度調整部３に別に設けることもできるが、角度調整部３をプレスで加圧して、締結ボルト孔４３の周囲に一体的に形成することが好ましい。
【００２０】
前記角度調節突起４８はリーフスプリングを手の甲部４に形成された結合孔に結合して設ける。この角度調節突起４８は前記作動板カバー３２の一端部に形成された角度調節ラックギヤ３２ｅと噛み合うことになる。
【００２１】
したがって、前記のように、手の甲部４上に、角度調整部３、作動板３３、作動板カバー３２、調節ノブ３１、ロッカー３０を順次位置させた後、下側から締結ボルト３４で締結する。このように締結した後、締結ボルト３４を中心軸として長孔４１に沿って角度調整突部が回転することにより、手の甲部４と手首部２間の左右角度が調整できる。この際、前記角度調節突起４８が角度調節ラックギヤ３２ｅに沿って移動することにより、作動音が発生し、手の甲部４と手首部２間の角度が段階的に調整される。
【００２２】
つぎに、指部５と手の甲部４間の角度を無段階に調整するため、前記手の甲部４の一側に固定孔（図示せず）と角度調節突部（図示せず）を設け、指部５の一側に固定孔（図示せず）と長孔５２を形成し、前記手の甲部４に指部５を固定し角度調整するため、ボルト締結方式で締結されるロッカー５０とリベット５３を設ける。
【００２３】
この構成において、まず、手の甲部４の一端に固定孔（図示せず）と角度調整突部（図示せず）を、前記角度調整部３の角度調整突部と同一方式で形成し、指部５の一側に、前記手の甲部４の前記角度調整突部が挿入され移動するように、長孔５２を形成し、手の甲部４の結合のための固定孔（図示せず）を形成した後、ワッシャー５１を介してロッカー５０を結合し、下部からリベット５３で締結する。また、指を固定するための別のバンド５９を設けることにより、使用者が指を所望の姿勢に固定することができるので、ボウリングの際、フック又はストレ一トなど、多様な形態にすることができる。
【００２４】
締結ボルト３４を角度調整部３に結合するため、締結ボルト３４の頭部に多数の固定溝３４ａを形成し、手の甲部４の下面の締結ボルト孔４３の付近に多数の固定片（図示せず）を設け、締結ボルト３４を締結ボルト孔４３に挿入した後、前記固定片を折り曲げて固定溝３４に結合させる。
【００２５】
つぎに、調節ノブ３１を回すときに作動音を発生するための作動音発生手段を図４に基づいて説明する。
【００２６】
この作動音発生手段は、作動板カバー３２の一側に、前記作動板カバー３２と一体に成形された作動幹ハウジング３２ｃと、前記作動幹ハウジング３２ｃに挿合される作動幹３２ｆと、前記調節ノブ３１の内周面に形成された内側ギヤ３１ｃとからなる。
【００２７】
ここで、手首部２と手の甲部４間の角度を調節するため、調節ノブ３１を回すと、作動幹３２ｆが、前記調節ノブ３１の内側ギヤ３１ｃの突部を通り過ぎながら作動音を発生する。
【００２８】
作動音発生手段のほかの実施例を図５に基づいて説明する。
【００２９】
この作動音発生手段は、通孔３８ｂ、組立ブラケット３８ａ及び作動音発生用突部３８ｃが設けられたリーフスプリング３８と、前記リーフスプリング３８の組立ブラケット３８ａを支持するため、作動板カバー３２に形成された組立孔３２ａと、前記調節ノブ３１の下側面に放射状に形成された多数の突部３１ｂとからなる。
【００３０】
この実施例によると、多数の突部３１ｂが形成された調節ノブ３１の下側面と、リーフスプリング３８に折曲された突部３８ｃがロッカー３０及び締結ボルト３４の締結力により一定の圧力を受ける。この際、手首部２と手の甲部４間の角度を調節するため、調節ノブ３１を回すと、リーフスプリング３８の突部３８ｃが調節ノブの多数の突部３１ｂを通り過ぎながら作動音を発生する。
【００３１】
作動音発生手段のさらにほかの実施例を図６に基づいて説明する。
【００３２】
この作動音発生手段は、一端に組立ブラケット３９ａが形成されたＵ形スプリング３９と、前記Ｕ形スプリング３９を支持するため、前記作動板カバー３２に形成された組立孔３２ｄと、前記調節ノブ３１の下側面に放射状に形成された多数の突部３１ｂ（図５と同様）とからなる。
【００３３】
この実施例によると、作動板カバー３２の一側に、Ｕ形スプリング３９を支持するため、組立孔３２ｄを形成し、前記Ｕ形スプリング３９を前記組立孔３２ｄに結合し、角度調整部３を組み立てた後、角度調整のため、調節ノブ３１を回すと、調節ノブ３１の下側面に形成された多数の突部３１ｂとＵ形スプリング３９が接触しながら作動音を発生する。
【００３４】
前記手首部２は、手首部フレーム２０の一端部に、前記作動板３３に対応する作動板固定部２ａを設け、前記作動板固定部２ａの両側にそれぞれ手首部ブラケット２ｂと手首部ブラケット孔を設け、手首部フレーム２０の両側に締結長孔２ｄ、２ｅが形成し、連結部材及び下部バンド体２０ａからなる下部バンドユニットを結合して構成する。
【００３５】
図７及び図８は本発明のほかの実施例によるリストサポートを示す分解斜視図である。この実施例によると、指部と手の甲部が一体に形成されている。
【００３６】
図９は本発明によるリストサポートの下部バンドユニットの一実施例を示し、図９Ａは下部バンドユニットの斜視図、図９Ｂは下部バンドユニットの断面図である。リストサポートの手首部フレーム２０に結合される下部バンドユニットの一実施例は図９に示すものである。
【００３７】
下部バンドユニットは、リストサポートを手首に着用したとき、バンド体にマジックテープ（登録商標）が付着することによりバンド体の内側面に膨出部が生じて使用者に不便さを与えることを防止するため、バンド体６１の内側両端部に段差部６４、６８を形成し、第１段差部６４の内側面と第１連結バンド６２の端部にそれぞれマジックテープ（登録商標）６３を縫着し、前記第１段差部６４の外側面に第１連結バンド６２を縫着し、第２段差部６８の内側面に第２連結バンド６５を縫着し、前記第２段差部６８の外側面と第２連結バンド６５の端部にそれぞれマジックテープ（登録商標）６７を縫着して構成する。
【００３８】
前記第１連結バンド６２を手首部２に締結して着用するため、手首部２に形成された締結長孔２ｄ、２ｅに第１、第２連結バンド６２、６５をそれぞれかけた後、使用者の手首に合わせて引っ張った後、バンド体６１に付着する。
【００３９】
前記下部バンドユニットのほかの実施例を図１０に基づいて説明する。
【００４０】
この下部バンドユニットは、手首部フレーム２０の両側に連結ブラケット（図示せず）をそれぞれ設け、前記連結ブラケットの一側にピンで結合される連結部材２６ａが設けられた第１連結バンド２６を下部バンド体２０ａの一側に設け、前記連結ブラケットの他側にピンで締結される連結部材２７ｃ及び横突部２７ａが設けられた第２連結バンド２７を前記下部バンド体２０ａの他側に設けられたストッパー２７ｂに挿入して締結したものである。すなわち、ローラーブレードなどに多く用いられる固定手段を本発明の手首部２に適用したものである。
【００４１】
使用に際して、使用者の手首に本発明のリストサポートを着用した後、ストッパー２７ｂを開放した状態で第２連結バンド２７に設けられた横突部２７ａを前記ストッパー２７ｂに挿入し使用者の手首に合わせて引っ張った後、ストッパー２７ｂを押してロックすると、横突部２７ａにストッパー２７ｂが噛み合うことにより、固定される。
【００４２】
前記下部バンドユニットのさらにほかの実施例を図１および図１１に基づいて説明する。
【００４３】
この下部バンドユニットは、手首フレーム２０の一側に締結部２２を設け、他側にロッキングフック２８ｃを設け、一端部にマジックテープ（登録商標）が付着された連結バンド２９を下部バンド体２０ａの締結部に結合し、前記下部バンド体２０ａの他側にロッキングレバー２８ａ及びロッキングループ２８ｂからなるロッキング部２８を設け、前記ロッキングフック２８ｃに結合したものである。
【００４４】
ロッキング部２８を前記手首部フレーム２０に結合するため、下部バンド体２０ａに結合された前記ロッキングループ２８ｂを手首部フレーム２０のロッキングフック２８ｃに位置させた後、ロッキングレバー２８ａを下方に押す。連結バンド２９の他端に設けられたマジックテープ（登録商標）は手首部フレーム２０に形成された締結孔を通過させてから下部バンド体２０ａの方向に引っ張り、使用者の手首に密着するようにしてマジックテープ（登録商標）に付着するとよい。
【００４５】
つぎに、手の甲部４及び指部５を図１および図１２に基づいて説明する。
【００４６】
一端が連結ブラケット４５ａに固定ピン４５ｂで連結され、手の甲部の一側に設けられた連結ブラケット４６ａ及び固定ピン４６ｂを通じてハンド締めブラケット４７に連結され、手を締めるハンドバンド４４と、指部５の指バンド５５との下側外部面にそれぞれ、ボウリングとの密着力を向上させるため、ゴム又は合成樹脂材の密着シート４４ａ、５５ａを設けたものである。
【００４７】
すなわち、ハンドバンド４４の一端を連結ブラケット４５ａに固定ピン４５ｂで連結し、手の甲部の一側に設けられた連結ブラケット４６ａ及び固定ピン４６ｂを通じてハンド締めブラケット４７に連結する。また、ボウリングボールを容易に手で握ることができ、ボウリングボールを投球するとき、ボールが手の平から滑らないようにするため、前記ハンドバンド４４と、指部５の指バンドと５５の下側外部面に、ゴム又は合成樹脂材の密着シート４４ａ、５５ａをそれぞれ縫着するかコーテイングする。
【００４８】
【発明の効果】
以上説明したように、本発明は、手首部と手の甲部間の上下及び左右角度を容易に調整し固定することができ、指部と手の甲部間の角度も無段階に調整して固定することができる便宜性を提供し、使用者の身体的特性に易く合わせることができる。
【００４９】
また、調節ノブを回すと作動音が発生するので、使用者に作動に対する信頼性及び調整便宜性を提供する。そのうえ、手首部のフレームと下部バンドユニットを簡便に連結することができるので、バンドの着脱にかかる時間を減らし、一旦、リストサポートを着用したら、なかなか脱がれないので、ボウリング競技に集中することができる。
【図面の簡単な説明】
【図１】本発明によるリストサポートを示す斜視図である。
【図２】本発明によるリストサポートの角度調整部の分解斜視図である。
【図３】本発明によるリストサポートの角度調整部、手の甲部及び指部の分解斜視図である。
【図４】本発明によるリストサポートの作動音発生手段の一実施例を示す分解斜視図である。
【図５】本発明によるリストサポートの作動音発生手段のほかの実施例を示す分解斜視図である。
【図６】本発明によるリストサポートの作動音発生手段のさらにほかの実施例を示す分解斜視図である。
【図７】本発明のほかの実施例によるリストサポートを示すもので、指部と手の甲部が一体に形成されたものを示す分解斜視図である。
【図８】図７に示すリストサポートを示すほかの分解斜視図である。
【図９】本発明によるリストサポートの下部バンドユニットの一実施例を示し、図９Ａは下部バンドユニットの斜視図、図９Ｂは下部バンドユニットの断面図である。
【図１０】本発明によるリストサポートの下部バンドユニットのほかの実施例を示す斜視図である。
【図１１】本発明によるリストサポートの下部バンドユニットのさらにほかの実施例を示す斜視図である。
【図１２】本発明によるリストサポートの密着シートの実施例を示す斜視図である。
【符号の説明】
２…手首部、
２ａ…作動板固定部、
２ｂ…手首部ブラケット、
２ｄ、２ｅ…締結孔、
３…角度調整部、
３ａ…角度調整部ブラケット、
３ｂ…角度調整部ブラケット孔、
３ｃ…締結ボルト、
４…手の甲部、
５…指部、
２０…手首部フレーム、
２０ａ…下部バンド体、
２２…締結部、
２３、２３ａ、２４…固定ピン、
２６…第１連結バンド、
２６ａ…連結部材、
２７…第２連結バンド、
２７ａ…横突部、
２７ｂ…ストッパー、
２７ｃ…連結部材、
２８…ロッキング部、
２８ａ…ロッキングレバー、
２８ｂ…ロッキングループ、
２８ｃ…ロッキングフック、
２９…連結バンド、
３０…ロッカー、
３０ａ…ワッシャー、
３１…調節ノブ、
３１ａ…ピニオンギヤ、
３１ｂ…突部、
３１ｃ…内側ギヤ、
３２…作動板カバー、
３２ａ、３２ｄ…孔、
３２ｂ…固定突片、
３２ｃ…作動幹ハウジング、
３２ｅ…角度調節ラックギヤ、
３２ｆ…作動幹、
３３…作動板、
３４…締結ボルト、
３４ａ…ボルト孔、
３５…孔、
３７…作動板カバー固定孔、
３８…リーフスプリング、
３８ａ…組立ブラケット、
３８ｂ…組立通孔、
３８ｃ…突部、
３９…Ｕ形スプリング、
３９ａ…組立ブラケット、
４１…長孔、
４３…締結ボルト孔、
４４…指バンド、
４４ａ…密着シート、
４５ａ、４５ｂ…連結ブラケット、
４５ｂ、４６ｂ…固定ピン、
４７…ハンド締めブラケット、
４８…角度調節突起、
５０…ロッカー、
５１…ワッシャー、
５２…長孔、
５３…リベット、
５９…バンド、
６１…バンド体、
６２、６５…第１、第２連結バンド、
６３、６７…マジックテープ（登録商標）、
６４、６８…段差部。
【図１】
2004223083.tif 000003
【図２】
2004223083.tif 000004
【図３】
2004223083.tif 000005
【図４】
2004223083.tif 000006
【図５】
2004223083.tif 000007
【図６】
2004223083.tif 000008
【図７】
2004223083.tif 000009
【図８】
2004223083.tif 000010
【図９】
2004223083.tif 000011
【図１０】
2004223083.tif 000012
【図１１】
2004223083.tif 000013
【図１２】
2004223083.tif 000014